(57)【要約】  【課題】  タップ本体が定常位置に有るか否かに応じた感振動作の開始設定により、地震の発生時には供給電圧を的確に遮断して火災等の発生を未然に防止することができるテーブルタップの通電制御装置を提供する。【解決手段】  オン・オフ動作によりコンセント部５，６へ電源電圧を供給または遮断する電源スイッチ７と、所定以上の振動を感知して感知信号を出力する感振センサ１４と、オン時にこの感振センサ１４の動作を開始させる一方、オフ時にその動作を停止させるセンサスイッチ１３と、タップ本体が定常位置に有るか否かに応じて前記センサスイッチ１３をオンもしくはオフ動作の何れかに設定するセットスイッチ９，１０と、このセットスイッチ９，１０が前記センサスイッチ１３をオン側に設定して前記感振センサ１４の動作を開始させた後、この感振センサ１４から感知信号が送出されてきたときに、前記電源スイッチ７をオフ動作させて電圧供給を遮断し、かつ、このオフ動作を保持する保持回路１５とを備えた。【選択図】      図３
2008147092.tif 000002
【特許請求の範囲】
【請求項１】
商用交流電源の固定コンセントに差込接続されるプラグとタップ本体のコンセント部とがリード線により接続されたテーブルタップにおいて、
前記リード線に入力側が接続されるとともに前記コンセント部に出力側が接続され、オン・オフ動作によりこのコンセント部へ前記電源電圧を供給または遮断する電源スイッチと、
所定以上の振動を感知して感知信号を出力する感振センサと、
オン時にこの感振センサの動作を開始させる一方、オフ時にその動作を停止させるセンサスイッチと、
前記タップ本体が定常位置に有るか否かに応じて前記センサスイッチをオンもしくはオフ動作の何れかに設定するセットスイッチと、
前記電源スイッチと前記感振センサとの間に介設された保持回路とを備え、この保持回路は、前記セットスイッチが前記センサスイッチをオン側に設定して前記感振センサの動作を開始させた後、この感振センサから感知信号が送出されてきたときに、前記電源スイッチをオフ動作させて電圧供給を遮断し、かつ、このオフ動作を保持することを特徴とするテーブルタップの通電制御装置。
【請求項２】
前記コンセント部が、前記リード線側に直接接続された常時通電用と、前記電源スイッチの出力側に接続された遮断対象用とからなることを特徴とする請求項１に記載のテーブルタップの通電制御装置。
【請求項３】
前記セットスイッチが、前記タップ本体の底部で出没自在に設けられた可動部材と、この可動部材が突出状態から前記底部内に没入したときにオン指令を発するスイッチ部と、を備えてなることを特徴とする請求項１に記載のテーブルタップの通電制御装置。
【発明の詳細な説明】
【技術分野】
【０００１】
本発明は、各種電気機器が接続されるテーブルタップの通電制御装置に係り、特に、地震や強い振動の発生時に電源電圧を遮断して安全性を高め得るテーブルタップの通電制御装置に関する。
【背景技術】
【０００２】
パソコン、プリンタ、スキャナといった電子事務機器が接続されるテーブルタップが広く普及しているが、地震の発生時には高い安全性が求められるため、各種の提案がなされている。
その一例として、地震時における火災の発生を防止することを目的としたコンセント通電制御装置が知られている。
このコンセント通電制御装置は、差込みプラグの導電刃と出力コンセントとの間に挿入されて、双方の通電のオン・オフを行うリレースイッチ、通電開始のセット用スイッチ、一定以上の揺れを感知するとスイッチが作動する揺動センサスイッチを備えている。
また、前記セット用スイッチのオンと揺動センサスイッチの作動によって生成された各入力信号により、リレースイッチを制御する制御回路等を有して構成されている。
これにより、地震の揺れによって揺動センサスイッチが作動し、入力信号が生成されると、制御回路がリレースイッチを切って商用交流電源から出力コンセントへの通電を遮断する。
この後、プラグの導電刃に商用交流電源が通電されても、再度セット用スイッチを手動でオンにしない限り、出力コンセントへ通電しないように制御する。
よって、地震などの揺れにより出力コンセントに接続された電気機器が火元となる危険が発生する前に通電を遮断して未然に防止できる。また、停電復旧時における二次災害を防止することもできるというものである。
【特許文献１】特開平１１−１１１３９４号公報また、同様の火災発生防止を目的とした震感型コンセントが知られている。この震感型コンセントは、固定型コンセントに差し込む電源プラグと、その電源を出力するコンセントとの回路上に震動センサおよび制御回路を設け、震動センサが地震動を感知すると自動的に電源を遮断するようになっている。このため、地震が発生した場合は、電気機器に電源電圧が供給されないので、火災の発生を未然に防止することができる。
【特許文献２】特開平９−７３９５７号公報
【発明の開示】
【発明が解決しようとする課題】
【０００３】
ところで、上記特許文献１および２の発明は、何れも固定型のコンセントに接続するものであり、一端にプラグを接続したコードの他端に取り付けられて、移動が可能なテーブルタップを対象としたものではない。
よって、固定型のコンセント側が地震発生時の通電遮断機能を有していても、移動の自由がないために用途が限定されるという難点があった。
また、上記固定コンセントや従来のテーブルタップは、複数の２口コンセント部の全てを遮断させる構成となっている。
しかし、ノートパソコンのように常時通電しておくのが好ましく、また火災発生のおそれが少ない電子機器もあり、コンセント部によって常時通電用と地震時の遮断対象用とに分かれているタイプが待たれていた。
本発明は、上記課題に鑑みてなされたもので、タップ本体が定常位置に有るか否かに応じた感振動作の開始設定により、地震の発生時には供給電圧を的確に遮断して火災等の発生を未然に防止することができるテーブルタップの通電制御装置を提供することを目的としている。                 
【課題を解決するための手段】
【０００４】
上記目的を達成するため、本発明のテーブルタップの通電制御装置は、商用交流電源の固定コンセントに差込接続されるプラグとタップ本体のコンセント部とがリード線により接続されたテーブルタップにおいて、前記リード線に入力側が接続されるとともに前記コンセント部に出力側が接続され、オン・オフ動作によりこのコンセント部へ前記電源電圧を供給または遮断する電源スイッチと、所定以上の振動を感知して感知信号を出力する感振センサと、オン時にこの感振センサの動作を開始させる一方、オフ時にその動作を停止させるセンサスイッチと、前記タップ本体が定常位置に有るか否かに応じて前記センサスイッチをオンもしくはオフ動作の何れかに設定するセットスイッチと、前記電源スイッチと前記感振センサとの間に介設された保持回路とを備え、この保持回路は、前記セットスイッチが前記センサスイッチをオン側に設定して前記感振センサの動作を開始させた後、この感振センサから感知信号が送出されてきたときに、前記電源スイッチをオフ動作させて電圧供給を遮断し、かつ、このオフ動作を保持することを特徴としている。
また、前記コンセント部が、前記リード線側に直接接続された常時通電用と、前記電源スイッチの出力側に接続された遮断対象用とからなることを特徴としている。
また、前記セットスイッチが、前記タップ本体の底部で出没自在に設けられた可動部材と、この可動部材が突出状態から前記底部内に没入したときにオン指令を発するスイッチ部と、を備えてなることを特徴としている。
【発明の効果】
【０００５】
以上のように本発明は、セットスイッチがセンサスイッチをオン側に設定して感振センサの動作を開始させた後、この感振センサから感知信号が送出されてきたときに、電源スイッチをオフ動作させて電圧供給を遮断し、かつ、このオフ動作を保持するので、テーブルタップに接続された電気機器が火災の火元となる危険を未然に防止できる。
この際、タップ本体が単なる移動等により定常位置を保てない場合は、センサスイッチがオフとなって感振センサが動作せず、定常位置に有るときにのみ動作するので、使用者が地震の揺れとの違いを認識でき、誤動作を回避することができるといった効果もある。
また、コンセント部が常時通電用と遮断対象用とからなるので、常時通電しておくのが好ましく、また火災発生のおそれが少ない電子機器を常時通電用に接続して使用できる利点がある。
さらに、タップ本体の底部内に可動部材が没入したときにスイッチ部がオン指令を発するので、単なる移動のためにタップ本体が傾いたり、床面から離れたような場合は感振センサが動作しないことから、地震の発生時とは単なった適正な処置が可能になる利点がある。
【発明を実施するための最良の形態】
【０００６】
以下、本発明に係るテーブルタップの通電制御装置の実施形態について、図面を参照しながら詳述する。
図１は、本発明の一実施形態に係るテーブルタップを示す斜視図、図２は、感震センサの概要構成を示す断面図である。
このテーブルタップ１は、商用交流電源の固定コンセントに接続されるプラグ２を設けたコード３にタップ本体４を接続したもので、電子機器、事務機器および家電製品等が接続される。
タップ本体４は、細長で硬質の合成樹脂材からなり、上面４ａに複数のコンセント部５，６、手動セットスイッチ９およびリセットスイッチ１５ａを設け、底部１ｂ側に床置セットスイッチ１０を取り付けている。
また、タップ本体４内に、各種スイッチや回路基板、感振センサ１４および保持回路１５等を収納して構成されている。
コンセント部５，６は、差込口が２口で正負１対の被差込刃からなり、本例では、常時通電用５を１個、遮断対象用６を４個としている。
常時通電用のコンセント部５には、急速に電源を遮断するとトラブルの生じ易い電子機器、例えば、ノートパソコン等が接続される。
このノートパソコンは、地震発生時に火災の火元になり難い構造であるが、常時通電の専用コンセントであることを、遮断対象用とともに上面４ａに表示しておくのが好ましい。
一方、遮断対象用のコンセント部６には、地震の発生時に火元となる可能性がある一般の事務機器や家電製品等が接続される。
手動セットスイッチ９は、上面４ａに形成した小穴に操作部を配し、タップ本体４内に可動接点と固定接点とを設けている。
操作部は半透明で、内部に発光ダイオードの表示灯１１を取り付けてあり、オン操作したときに可動接点が固定接点に接して表示灯１１が点灯するようになっている。
床置セットスイッチ１０は、可動ピン１０ａ、スイッチ部１０ｂおよびバネ体を備えて構成されている。
可動ピン１０ａは、底部１ｂに形成された小孔に出没自在に緩挿され、底部１ｂ内の鍔部がバネ体によって外方に押圧付勢されている。
スイッチ部１０ｂは、いわゆるｂ接点であり、可動ピン１０ａに連動してオン・オフするようになっている。
スイッチ部１０ｂは、常態では、可動ピン１０ａがタップ本体１の底部１ｂ側から突出してオフ状態にあり、タップ本体１が床に置かれて可動ピン１０ａが底部１ｂ内に没入したとき、オン動作する。
従って、タップ本体１が傾く等の状態になると、バネ体によって可動ピン１０ａが押されて底部１ｂから突出し、スイッチ部１０ｂがオフとなる。
【０００７】
図２は、感振センサ１４を示す断面図である。
この感震センサ１４は、普及型のボールタイプで、容器１６内に鋼球１７や揺動スイッチ２１を収納して構成されている。
容器１６は、略中央に傾斜板１８を内設しており、底面にスイッチケース２０を固着している。
傾斜板１８は、中央に小孔１８ａを形成してあり、タップ本体１が床に置かれて、定常の使用状態にあるとき、小孔１８ａの上部に鋼球１７を位置させるようになっている。
揺動スイッチ２１は、固定接点２１ａと可動接点２１ｂとからなる、いわゆるａ接点であり、スイッチケース２０に組み込まれている。なお、このスイッチケース２０は、中央に挿通孔２０ａを形成してあり、可動接点２１ｂ側の可動軸１９が進退自在に緩挿される。
固定接点２１ａは、スイッチケース２０の上部側内面において、挿通孔２０ａの周囲に設けられている。可動接点２１ｂは、可動軸１９の下端に固着されており、固定接点２１ａに対向している。
バネ体２２は、可動接点２１ｂとスイッチケース２０との間に介設されて、可動軸１９に対し上方への押圧力を付勢している。
これにより、感震センサ１４は、常態では、鋼球１７が傾斜板１８の中央に位置し、可動軸１９の上端を押圧している。この状態では、固定接点２１ａから可動接点２１ｂが離間し、揺動スイッチ２１がオフとなっている。
一方、タップ本体１に振動が加えられ、鋼球１７が傾斜板１８上を転がると可動軸１９から離れるため、この可動軸１９がバネ体２２により上動する。すると、固定接点２１ａに可動接点２１ｂが接して揺動スイッチ２１がオン状態となる。
また、振動が止み、タップ本体１が定常状態になって鋼球１７が定位置に戻ると、可動軸１９の上端を押圧して再び可動接点２１ｂを離反させるため、揺動スイッチ２１がオフ状態になる。
図３は、テーブルタップの通電制御装置を示す電気回路図、図４は、保持回路を示す電気回路図である。
図３において、２は商用交流電源の固定コンセントに差込接続されるプラグであり、コード３のリード線３ａ，３ｂが接続されている。
このリード線３ａ，３ｂには、前記コンセント部５と電源スイッチ７を介して４個のコンセント部６とが接続されている。
【０００８】
なお、電源スイッチ７は、リード線３ｂ側に接続されており、オン動作時に電源電圧をコンセント部６に供給する一方、オフ動作によって供給電圧を遮断する。
また、リード線３ａ，３ｂには、交流電圧を直流電圧に変換するＡＣ／ＤＣコンバータ８が接続されている。
そして、このＡＣ／ＤＣコンバータ８の出力側には、前記手動セットスイッチ９および床置セットスイッチ１０の各入力端が接続されている。
手動セットスイッチ９は、出力端に前記表示灯１１とＡＮＤ回路１２の一方の入力端とが接続されている。
手動セットスイッチ９をオンにすると、ＡＣ／ＤＣコンバータ８からの出力を受けて、ＡＮＤ回路１２の一方の入力端に信号を送出する。また、表示灯１１が点灯して電源電圧の入力状態を表示する。
また、前述の床置セットスイッチ１０は、出力端にＡＮＤ回路１２の他方の入力端が接続されている。この床置セットスイッチ１０は、タップ本体１が床に置かれるとオン状態となり、ＡＮＤ回路１２の他方の入力端に信号を送出する。
そして、タップ本体１が床から離れるとオフ状態となり、ＡＮＤ回路１２への信号送出が停止する。
このＡＮＤ回路１２は、出力信号をセンサスイッチ１３に与えている。このセンサスイッチ１３は、出力が前記感震センサ１４に接続されている。
ここで、手動セットスイッチ９と床置セットスイッチ１０とがオンになり、ＡＮＤ回路１２の各入力端が“１，１”になると、このＡＮＤ回路１２の出力端が“１”になって、センサスイッチ１３側に信号が送出される。
すると、センサスイッチ１３がオンとなり、感震センサ１４にオン信号が供給されて、この感震センサ１４が動作を開始する。
手動セットスイッチ９または床置セットスイッチ１０の何れかがオフになると、ＡＮＤ回路１２の各入力端が“１，０”になるため、信号は送出されない。よって、感震センサ１４が動作を開始しない状態に保たれる。
この感震センサ１４は、出力を保持回路１５に与えている。この保持回路１５は、図４に示すように、従来周知のラッチ・フリップフロップであり、出力が前記電源スイッチ７に接続されている。
この保持回路１５は、ＯＲゲート２３、ＡＮＤゲート２４およびＮＯＴゲート２５からなり、リセット用のスイッチ１５ａを備えている。
この保持回路１５は、感震センサ１４から出力信号が送出されてきたとき、その信号レベルが予め設定されたラッチ・フリップフロップの閾値よりも高いと、その出力信号を保持し、かつ電源スイッチ７にオフ指令信号を送出するようになっている。
この電源スイッチ７は、オフ指令によりオフ動作して、遮断対象用のコンセント部６に供給されていた電源電圧を遮断する。
なお、この保持回路１５は、リセットスイッチ１５ａが操作されると、ラッチ・フリップフロップをリセットして元のセット状態に戻し、再びオン指令信号を送出して電源スイッチ７をオン動作させる構成になっている。
次に、上記テーブルタップの通電制御装置の動作について、図面を参照しながら説明する。
ユーザーが、テーブルタップを使用する場合、固定コンセントにプラグ２を差込むと、商用交流電源の電圧が導かれる。すると、コンセント部５側が直ぐに通電状態となるので、例えば、ノートパソコン等を接続して使用することができる。
また、ユーザーがタップ本体１を床面に置くと、可動ピン１０ａが底部１ｂ内に没入するため、床置セットスイッチ１０がオン状態となる。
続いて、ユーザーが遮断対象用も使用する場合、手動セットスイッチ９をオンにすると、ＡＮＤ回路１２の各入力端に信号が入力するので、感震センサ１４にオンの指令信号が出力される。
よって、この感震センサ１４が動作開始状態になり、保持回路１５が電源スイッチ７をオン動作させて、電源電圧をコンセント部６に供給させる。
このため、コンセント部６に電子機器や家電製品を差し込むと、直ぐに使用することができる。
この状態で地震が発生したとき、所定値以上の揺れであると、感振センサ１４から感知信号が出力されるので、保持回路１５が電源スイッチ７をオフ動作させる。
すると、コンセント部６への供給電圧が遮断されるため、各コンセント部６に接続されていた電気機器への送電が停止される。
また、保持回路１５は、電源スイッチ７のオフ状態を維持するから、送電状態が続いても、コンセント部６側に電圧は供給されない。よって、前記電気機器が火元となる火災の発生を未然に防止できる。
この後、地震の振動が止り、鋼球１７が定位置に戻ると、揺動スイッチ２１がオフ状態になる。
ここで、ユーザーがリセットスイッチ１５ａを押圧操作すると、ラッチ・フリップフロップがリセットされて、元のセット状態に戻り、再びオン指令信号を送出して電源スイッチ７をオン動作させる。
これにより、電源電圧が各コンセント部６側に供給されて、電気機器が再び通電状態となる。
ところで、テーブルタップは、固定コンセントと異なり、移動させることがよくある。
この移動時にタップ本体１が傾いたり、床面から離れて定常位置を保てない場合は、床置セットスイッチ１０がオフとなって感振センサ１４が動作しない。このときは、地震時の揺れとは異なり、ユーザーが認識しているので、タップ本体１を正常位置に戻せば再び電気機器が使用可能となる。
なお、上記実施形態では、コンセント部を常時通電用５と遮断対象用６とに分けたが、全て遮断対象用６にしても良い。
また、本発装置明は上記の各実施形態に限定されず、本発明の趣旨を逸脱しない範囲で、種々の変更が可能である。
【図面の簡単な説明】
【０００９】
【図１】本発明の一実施形態に係るテーブルタップを示す斜視図である。
【図２】感震センサの概要構成を示す断面図である。
【図３】テーブルタップの通電制御装置を示す電気回路図である。
【図４】通電制御装置の保持回路を示す電気回路図である。
【符号の説明】
【００１０】
５    コンセント部
６    コンセント部    
７    電源スイッチ
９    セットスイッチ
１０  セットスイッチ      
１３  センサスイッチ
１４  感振センサ
１５  保持回路
【図１】
2008147092.tif 000003
【図２】
2008147092.tif 000004
【図３】
2008147092.tif 000005
【図４】
2008147092.tif 000006